(57)【特許請求の範囲】
【請求項１】
自動車等の電気回路に用いられるヒユーズの二次短絡防止機構において、
長手方向一端が雄端子と係合して電気接続される雄端子受容部を形成し、他端が可溶導体によりもう一方の他端と接続してヒユーズ溶断部を形成する１対の雌端子部材と、これらの雌端子部材を収容するとともに前記雌端子部材を遊嵌状態で左右に離置するために垂直方向に延びる絶縁隔壁を備えたハウジングとから構成され、
それぞれの雄端子受容部が長手方向に沿って上下２箇所で段違いに対向して隆起する押圧接触部分を有し、上方の押圧接触部分がそれぞれ前記絶縁隔壁に向けられており、かつ少なくとも一方の押圧接触部分が弾性を有していることを特徴とするヒユーズの二次短絡防止機構。
【請求項２】
前記押圧接触部分の上方の部分が弾性突起であり、下方の部分が弾性ばね部材から成る突起であることを特徴とする請求項１に記載のヒューズの二次短絡防止機構。
【請求項３】
前記弾性押圧接触部分の上方の部分が両持ち板ばねであり、下方の部分が、雌端子受容部に固定された下端部を有する片持ち板ばねであることを特徴とする請求項２に記載のヒューズの二次短絡防止機構。
【請求項４】
ハウジングの絶縁隔壁の下方部分の幅が上方部分の幅より狭く形成されていて、ヒューズ溶断部の溶断時に前記雄端子受容部を回転可能ならしめるスペースを確保していることを特徴とする請求項１に記載のヒューズの二次短絡防止機構。
【請求項５】
長手方向一端が雄端子と係合して電気接続される雄端子受容部を形成し、他端が可溶導体によりもう一方の他端と接続してヒユーズ溶断部を形成する１対の雌端子部材と、これらの雌端子部材を収容するとともに前記雌端子部材を左右に離置するために垂直方向に延びる絶縁隔壁を備えたハウジングとから成る自動車等の電気回路に用いられるヒユーズの二次短絡防止機構において、
前記絶縁隔壁が、ハウジング下部に向けてその中心軸平面に近接する空所を有しており、
それぞれの雄端子受容部が、長手方向に沿って上下２箇所で段違いに対向して隆起する押圧接触部分を有し、
上方の押圧接触部分が、それぞれ前記絶縁隔壁と反対側に向けられると共に、その上端部を該絶縁隔壁の傾斜面に摺動可能に弾性接触する自由端と成した片持ち板ばねを形成しており、
下方の押圧接触部分が、前記雄端子受容部と一体の接触部分を形成しており、発熱による前記ヒューズ溶断部の溶断により、一対の雌端子部材が分離されるや否や、前記上方の押圧接触部分が、前記雄端子受容部全体を、挿入された雄端子に対して弾性反発力を発生し、前記下方の押圧接触部分の上角部を支点として前記隔壁の傾斜面に向けて前記空所を閉止するように枢動可能と成した事を特徴とするヒユーズの二次短絡防止機構。
【請求項６】
前記上方の押圧接触部分が、雄端子との接触点を形成すると同時に作用力点となる頂部を有する山形縦断面形状であり、前記下方の押圧接触部分が前記頂部の下方で上辺が雄端子との広範な接触面を形成する台形縦断面形状であることを特徴とする請求項５に記載のヒユーズの二次短絡防止機構。
【請求項７】
前記雄端子受容部の前記絶縁隔壁に押接可能な内壁が、１枚の可溶導体金属板を折り返して成形された２重板で構成され、前記上方の押圧接触部分が、内側板を長手方向に沿って打抜いた細長折曲片であり、かつその自由端である上端部が、外側板に穿設された切欠き部を貫通して前記絶縁隔壁の傾斜面と摺動可能に弾性接触していることを特徴とする請求項５または６に記載のヒユーズの二次短絡防止機構。
【請求項８】
前記雄端子受容部の前記絶縁隔壁に押接可能な内壁が、１枚の可溶導体金属板を折り返して成形された２重板で構成され、その外側板が、長手方向に沿って打抜かれかつ前記押圧接触部分と実質的に平行に延びる細長折曲片である弾性支持片を有し、
更に、その自由端が前記絶縁隔壁の傾斜面と弾性接触していることを特徴とする請求項７に記載のヒユーズの二次短絡防止機構。
【発明の詳細な説明】
【０００１】
【発明の属する技術分野】
本発明は、自動車等の電気回路に用いられるヒユーズの二次短絡防止機構に関し、とくに溶断部が溶断した後に、該溶断部を保持する各保持片相互の接触により二次短絡を防止するための改良されたヒユーズの二次短絡防止機構に関する。
【０００２】
【従来の技術】
自動車等のワイヤーハーネス接続用コネクタに適用される一般的なヒユーズの概要構成を図８、図９および図１０に基づいて説明する。ヒユーズ５０は、所要形状に形成されたヒユージブルリンク５１と、該ヒユージブルリンク５１を内部に組み込むとともに、図示しない高密度多極コネクタに着脱自在に装着して端子接続を可能にした絶縁製のハウジング６１とによつて構成される。
【０００３】
このヒユージブルリンク５１は、対向する１対の雌端子部５２，５２を有し、該各雌端子部５２の非対向面側にそれぞれの各係止片５３が切り起こされている。そして、れらの各非対向面側から比較的細い幅で上方に延出されたそれぞれの各保持片５４を屈曲して相互に連結させ、該連結部分の中間部に許容溶断容量に見合った細い幅に設定される溶断部５５が形成されている。
【０００４】
このハウジング６１は、相互に対向する一方の内壁面の下半部側で、各雌端子部５２を受容するために絶縁隔壁６４によつて区分され、それぞれに雄端子への挿入開口６３を備えた１対の端子収納部６２，６２と、各係止片５３を係止させるための係止溝６５がそれぞれ形成されている。
【０００５】
また、該内壁面の上半部側には、溶断室６６内で、各係止片５３を案内するための突出端部が傾斜面６７ａにて形成された１対のガイド溝６７，６７を形成してあり、上部開口には、蓋部材６８が嵌挿されている。
【０００６】
このハウジング６１に対するヒユージブルリンク５１の組み込みは、適当な挿入治具等を用いてハウジング６１の上方開口側から、ヒユージルリンク５１の各係止片５３を各ガイド溝６７に沿わせて押し込んで、該ハウジング６１内にヒユージブルリンク５１を組み込んでいる。即ち、このように押し込むことで、１対の雌端子部５２，５２が正しい姿勢で対応する各端子収納部６２内に臨ませられる。
【０００７】
次に、挿入操作の進行に伴って各係止片５３が各傾斜面６７ａによつて内側へ押圧蓄勢される。その後、各雌端子部５２が各端子収納部６２内にそれぞれ受容された時点では、各係止片５３が押圧状態から復元し、各係止溝６５内に係止されて組み込みを完了する。
【０００８】
上記構成によるヒユーズ５０は、図示しない高密度多極コネクタの装着部内に突出されている各雄端子部に対して挿入開口６３を通して各雌端子部５２が嵌挿される。この使用状態で、付帯する回路装置に許容値以上の電流が流れたときには、溶断部５５がジユール熱によつて融解され、回路を絶って装置の安全性を確保するものである。
【０００９】
【発明が解決しようとする課題】
しかしながら、上記従来のヒユーズ５０の場合には、自動車等のように極めて振動、衝撃等の激しい場所で使用されると、溶断部５５の融解後に、図１０に示されるごとく、該溶断部５５の融解によつて支えを失った各支持片５４が、振動或いは衝撃等で互いに内方に傾いて図１０のａ−ｂにおいて再度接触する恐れがあり、これらが互いに接触して二次短絡事故を発生することになる。
【００１０】
このような二次短絡事故の発生を防止するために、例えば、実開昭６４−３３１４６号等に開示されているようなヒユーズが提案されている。しかし、このヒユーズに係る二次短絡防止構造は、その構成が比較的複雑であり、信頼性およびコスト面で課題を残している。
【００１１】
本発明の目的は、上記従来の課題を解消するためになされたものであり、溶断部の溶断後の保持片相互の接触による二次短絡事故の発生を簡単な構造によつて防止し得るようにしたヒユーズの二次短絡防止機構を提供することにある。
【００１２】
【課題を解決するための手段】
本発明の上記目的は、本発明の第１の構成である、長手方向一端が雄端子部と係合して電気接続される雄端子受容部を形成し、他端が可溶導体によりもう一方の他端と接続してヒユーズ溶断部を形成する１対の雌端子部と、これらの雌端子部を収容するとともに前記雌端子部を遊嵌状態で左右に離置するために垂直方向に延びる絶縁隔壁を備えたハウジングとから構成され、それぞれの雄端子受容部が長手方向に沿って上下２箇所で段違いに対向して隆起する押圧接触部分を有し、上方の押圧接触部分がそれぞれ前記絶縁隔壁に向けられており、かつ少なくとも一方の押圧接触部分が弾性を有しているヒユーズの二次短絡防止機構によつて達成することができる。
【００１３】
本発明の第１の構成によるヒユーズの二次短絡防止機構は、ハウジングの雄端子受容部に雄端子が雄端子受容部内にその長手方向に沿って上下２箇所に対向して隆起する弾性押圧接触部分間に挿入され、２つの隆起部分により段違いに左右から支持されている。そして雄端子受容部は弾性押圧接触部分の隆起部分によりその上方部分がハウジングの外側に回動する力を受けてハウジングの絶縁隔壁と平行に該ハウジング内に収納されている。過電流の通電によりヒユーズ溶断部が溶断した時、雄端子受容部間の均衡が崩れるので、各雄端子受容部は前記ハウジングの外側に回動する力により上方部分が外側に向かって枢動する。これにより溶断された溶断部間の間隔は広がり、これらの溶断部が振動等を受けた際、再接触して二次短絡を生じる危険が回避される。
【００１４】
本発明の１つの好ましい実施の形態によると、前記押圧接触部分上方の部分が弾性突起であり、下方の部分が弾性ばね部材から成る突起から構成されている。この事により、ヒューズの溶断時における雌端子部の回動力が高まると同時に雄端子部の嵌入が一層容易になる。
【００１５】
本発明のもう１つの好ましい実施の形態によると、前記押圧接触部分の上方の部分が両持ち板ばねであり、下方の部分が、雌端子受容部に固定された下端部を有する片持ち板ばねから構成されており、上記好適実施態様における効果に加えて、特に下方の押圧接触部分の上端が長さ方向に延びて変形可能であるために、雄端子を僅かな押圧力で容易に差し込むことが可能となり、同時に雌端子部の弾性偏倚力も低下するので、溶断後の雌端子部の回転も柔軟性を帯び溶断による反動も小さく抑えることが可能となる。
【００１６】
ハウジングの絶縁隔壁は下方部分の幅が上方部分の幅より細く形成されて、ヒューズ溶断部の溶断時に前記雄端子受容部を枢動可能ならしめるスペースを確保している。これにより雄端子受容部分が外側に向かって枢動するときその下方部分が内側に枢動し易くなり、本発明の機構の効果がより高められる。
【００１７】
また、上記目的は本発明の第２の構成である、長手方向一端が雄端子と係合して電気接続される雄端子受容部を形成し、他端が可溶導体によりもう一方の他端と接続してヒユーズ溶断部を形成する１対の雌端子部材と、これらの雌端子部材を収容するとともに前記雌端子部材を左右に離置するために垂直方向に延びる絶縁隔壁を備えたハウジングとから成る自動車等の電気回路に用いられるヒユーズの二次短絡防止機構において、前記絶縁隔壁が、ハウジング下部に向けてその中心軸平面に近接する空所を有しており、それぞれの雄端子受容部が、長手方向に沿って上下２箇所で段違いに対向して隆起する押圧接触部分を有し、上方の押圧接触部分が、それぞれ前記絶縁隔壁と反対側に向けられると共に、その上端部を該絶縁隔壁の傾斜面に摺動可能に弾性接触する自由端と成した片持ち板ばねを形成しており、下方の押圧接触部分が、前記雄端子受容部と一体の接触部分を形成しており、発熱による前記ヒューズ溶断部の溶断により、一対の雌端子部材が分離されるや否や、前記上方の押圧接触部分が、前記雄端子受容部全体を、挿入された雄端子に対して弾性反発力を発生し、前記下方の押圧接触部分の上角部を支点として前記隔壁の傾斜面に向けて前記空所を閉止するように枢動可能と成した事を特徴とするヒユーズの二次短絡防止機構に依っても達成することが出来る。
【００１８】
上記した構成によると、ハウジング内に装着された雄端子受容部に雄端子過電流の通電によりヒユーズ溶断部が溶断すると、雄端子受容部間に作用していた左右の雄端子と絶縁隔壁との間に作用する上方の各押圧接触部分の弾性力に起因する張力均衡が崩れ、各雄端子受容部は下方の押圧接触部分の上角部を上方の受容部との間に存在する段差により実質的な枢支点として作用させて互いに下端を近接する方向に空所を閉じるように枢動し、その結果、上方の溶断部分は互いに外側に向かって離間する方向に枢動する。これにより溶断された溶断部間の間隔は広がり、これらの溶断端部が振動等を受けた際、左右の雄端子受容部は上方の各押圧接触部分の大きな弾性力で絶縁隔壁の傾斜面に押接され、溶断端部が再接触して二次短絡を生じると言った危険性を一層確実に回避される。
【００１９】
また、かかる構成を備えた本発明の好ましい１つの実施の形態によると、前記上方の押圧接触部分が雄端子との接触点を形成すると同時に作用力点となる頂部を有する山形縦断面形状であり、前記下方の押圧接触部分が前記頂部の下方で上辺が雄端子との広範な接触面を形成する台形縦断面形状である。このような構成により雄端子はその付け根に近い部分で広い接触面積が得られるので導電性が良好となり、接触不良による発熱等の事故が避けられる。
【００２０】
更に、もう１つの好ましい実施の形態によると、前記雄端子受容部の前記絶縁隔壁に押接可能な内側面が、１枚の可溶導体金属板を折り返して成形された２重板で構成され、前記上方の押圧接触部分が、内側の板を長手方向に沿って打抜いた細長折曲片であり、かつその自由端である上端部が、外側の板に穿設された切欠き部を貫通して前記絶縁隔壁の傾斜面と摺動可能に弾性接触している。このような構成により、打ち抜き工程を１回で済ませることが可能となり、製造工程の合理化が計られる。また、比較的高価な使用材料の節約も行える。
【００２１】
また、同様にもう１つの好ましい実施の形態によると、前記雄端子受容部の前記絶縁隔壁に押接可能な内側面が、１枚の可溶導体金属板を折り返して成形された２重板で構成され、外側の板には、その長手方向に沿って打抜かれかつ前記押圧接触部分と実質的に平行に延びる細長折曲片である弾性支持片が、その自由端を前記絶縁隔壁の傾斜面と弾性接触して伸びている。かかる弾性支持片を設けたことにより、一対の雄端子受容部と絶縁隔壁下端部との非溶断時における離間間隔が確保され、溶断時における雄端子受容部の枢動に対して弾性緩衝作用を付与し、溶断した各ヒュージブルリンクの枢動に対する反跳を防止し二次接触を確実に防止している。
【００２２】
【発明の実施の形態】
以下に、本発明に係るヒユーズの二次短絡防止機構の第１の構成に関わる実施の形態を図１、図２および図３に基づいて説明する。図１は本実施の形態による二次短絡防止機構を適用したヒユーズの概要構成を示す斜視図、図２は二次短絡防止機構を構成する雄端子受容部の縦断面図、図３は図１のヒューズを組み立てた状態における縦断面図である。
【００２３】
図１ないし図３に示すように、本実施の形態のヒユーズ１０は、所要形状に形成したヒユージブルリンク１１と、該ヒユージブルリンク１１を内部に組み込むとともに、高密度多極コネクタ（図２および図３に１本の端子ピンの１部分のみを示す）に着脱自在に装着して端子接続を可能にしたプラスチックの如き電気絶縁材料製のハウジング３１とによつて構成される。
【００２４】
このヒユージブルリンク１１は対向する１対の雌端子部材２０，２０を備え、該各雄端子受容部１２の非対向面側にそれぞれの各係止片１３が上向きに切り起こして形成されている。
【００２５】
また、各雌端子部１２の非対向面側からは、上方に延設された保持片１４が設けられている。この各保持片１４は上方の屈曲部分１５を介して内側へ屈曲された先端部分１６とからなつている。この各保持片１４の先端部分１６，１６間が溶断容量に見合った細い幅に設定されかつ錫チツプを備えた溶断部１７で連結されている。
【００２６】
ハウジング３１は角筒状を成しており、かつ、内部の対向する一方の内壁面の下半分部側で、各雄端子受容部１２を受容するための１対の離隔された端子収納部３２を確保するために、上半部側にまで達する垂直な絶縁隔壁３４によつて区画されている。また、図３に見られるように、１対の端子収納部３２は、雄端子４０の挿入開口３３が底部に穿設されており、各係止片１３をハウジング内壁に係止させるために、下底面側から上方に向けて連続する係止溝３５が形成されている。
【００２７】
図２に示すごとく、使用に際し、雄端子４０が下端の挿入開口３３から挿入され、かつ図示していないがハウジング３１に対してソケット或いはブッシュの如き取付具によりしっかりと固定され、かつ雄端子受容部１２の内部に挿入される。この雄端子は雄端子受容部内で上下２箇所で段違いに互いに対向して隆起する押圧接触部分４１および４２により支持される。上方部分に配置された押圧接触部分４１は、垂直に上方に延びる絶縁隔壁３４に向けて中央部が隆起しており、また雄端子受容部の１部分と一体に打ち出された両持ち板で形成されており、かつ他方で雄端子４０の直径的に対向する面に接触している。
【００２８】
この上方部分に配置された押圧接触部分４１は、それ自体弾性を有している事が雄端子挿入の際の摩擦抵抗を考えると好ましいが、特に弾性を備えている必要は無く、作用時に雄端子に対する枢支点の機能が果たせれば良いからである。
【００２９】
前記押圧接触部分４１より下方に配置されるもう１つの押圧接触部分４２は、例えば、下端部が雄端子受容部の下端に固定された隆起部分を有する片持ち板ばね部材により実施される。この構成において、溶断部１７が融解すると直ちに両持ち支持の弾性押圧接触部分４１と片持ち支持の板ばね部材の接触部分４２は図２のＡ点を支点とし、かつＢ点を力点として雄端子受容部１２をＺ方向、すなわち、ハウジング３１内では雄端子受容部１２の上方端を外側に回転させようとする力を働かす。
【００３０】
前記の回転力を受けたときに、雄端子受容部１２の下方端はハウジング３１の絶縁隔壁３４の方向に移動する。この移動を受容するために、絶縁隔壁３４の下方端３４ａは上方端３４ｂより小径に形成されており、雌端子部材２０の下端が僅かに回転するスペースを確保している。従って、ヒュージブルリンク１１全体からみると、溶断部の融解により両方の雌端子部材が個別に相反する方向の回転運動が同時に生じ、両者は拡開状態において停止することとなり、左右の保持片１４の先端ａおよびｂは永久的に接触する恐れが無くなり二次短絡は回避されることとなる。
【００３１】
本実施形態の場合、ハウジング３１に対するヒユージブルリンク１１の組み込みは、適当な挿入治具等を用い、ハウジング３１の上方開口側から、ヒユージブルリンク１１の各係止片１３を各ガイド溝３７（図３）に沿わせて押し込む。その後、ハウジング３１の上部を蓋体３６で覆って密閉するが、各雄端子受容部１２が各端子収納部３２内にそれぞれ受容された時点では、各係止片１３が押圧状態から復元され、各係止溝３５内に係止される。この係止片１３は雌端子部材２０の雄端子受容部１２に雄端子４０が挿入される際にフュージブルリンク１１が上方に押し抜けるのを防止している。
【００３２】
本実施形態によるヒユーズ１０を用いた端子間接続について簡単に述べると、図示しない高密度多極コネクタの装着部内に突出されている各雄端子に対して、挿入開口３３を通して各雌端子部１２を接続させて使用される。そして、この使用状態で該当する回路装置に許容値以上の電流がながれたときには、溶断部１７がジユール熱によつて融解され、回路を絶って装置の安全性を確保するのである。
【００３３】
次いで、図４乃至図７を参照して本発明の第２の構成に関わる１つの実施の形態を説明する。なお、参照符号は上記した第１の構成に関わる実施の形態に使用された部材と共通のものは説明を理解し易くするためにそれぞれ１００を付け加えた番号を使用している。
【００３４】
図４は、本実施形態によるヒューズ１１０の二次短絡防止機構において、ヒュージブルリンク１１１をハウジング１３１内に組み込んだ状態を示す縦断面図である。図５は、図４の二次短絡防止機構の通常の、すなわちヒューズ溶断前の、使用状態における部分縦断面図であり、雄端子１４０を雌端子部材１２０内に挿入されている。図６は、ヒューズ溶断時における図４と同様の二次短絡防止機構の縦断面図であり、ヒュージブルリンク保持片１１４の先端部分１１６における溶断部１１７はａおよびｂの２つの部分に分離されている。図７は、図６の状態の部分拡大縦断面図であり、雌端子部材１２０がハウジング１３１内で枢動した状態が示されている。
【００３５】
図４において、上方に向かって垂直に伸びる一対の細長い帯状の保持片１１４の上方部分を屈曲部分１１５を介して水平方向に先端部分１１６を突き合わせ、錫ブロックと共に溶接して繋ぎ合わせて加熱溶断部１１７を形成したＵ字形の上方部分と、この上方部と一体的に一枚の熱可溶性金属板から打ち抜かれ、かつ箱型筒状に折曲成形された一対の雄端子受容部１１２を下方部に有するヒュージブルリンク１１１が、ハウジング１３１の内部に組み込まれた状態で示されている。なお、このヒュージブルリンク１１１は本発明においては雌端子部材１２０を実質的に形成している。
【００３６】
そして図４においては、この雌端子部材１２０が雄端子１４０を未だ受け入れていない状態であり、ハウジング内部の下方部分を絶縁隔壁１３４に依って縦方向に均等に分割するように画成された２つの端子収納部１３２内に左右一対の雄端子受容部１１２が収容された状態を示している。ヒュージブルリンク１１１は上方よりハウジング１３１の左右の内壁に穿設された対向する一対のガイド溝１３７に誘導されながら端子収納部内に位置付けられるが、その際、雄端子受容部１１２の保持片１１４が同一垂直平面内に連成される方形の外壁１１２ｂの上部において外側に向かって斜め上方に切り起こされた係止片１１３が、ハウジング内壁に対向して垂直方向に凹設された係止溝１３５に嵌合しかつハウジング内方に迫り出したハウジング突縁１３１ａの下側においてハウジングからの引き抜けを防止するために係合している。最後に、ハウジング１３１の開放上部に蓋体１３６を被嵌させることで組み立ては完成する。
【００３７】
ハウジング１３１の内部構造に関しては図５に詳しく示されるように、係止溝１３５に向かい合ってハウジング１３１の概ね半分の高さに迄垂直に延びる絶縁隔壁１３４の傾斜面１３４ａが形成されており、この傾斜面１３４ａは、その中心軸平面Ｖに対して隔壁の中央部分から下端部分にかけてその厚みを徐々に減少するよう内傾しており、上記雄端子受容部１１２の絶縁隔壁１３４と直接向かい合う内壁１１２ａとの間に鋭角三角形断面の空所１４６を形成している。この空所１４６の頂角αは矢印により図５および図７に示されている。この頂角αは後に詳細に説明するが、ヒューズ溶断時に雌端子部材１２０が左右に分離されてそれぞれ反対方向に枢動する際の枢動角度と同一である。
【００３８】
次に、雌端子部材１２０の雄端子受容部１１２の構成および作用に就いて図５および図７に沿って説明すると、それぞれの雄端子受容部１１２は、長手方向に沿って上下２箇所で段違いに対向して隆起する押圧接触部分１４１および１４２を有している。上方の押圧接触部分１４２は、それぞれ前記絶縁隔壁１３４と反対側に突出しており、ハウジング１３１の挿入開口１３３を通って挿入された雄端子１４０との唯一の接触点を形成すると同時に枢動時に作用力点となる頂部１４２ｂを有する山形縦断面形状を備えた細長い板ばねで形成されている。さらに、その上端部１４４は自由端を成しており絶縁隔壁の傾斜面１３４ａと摺動可能に弾性接触しており、他方、下端部１４５は、雄端子受容部１１２の内壁１１２ａに固定されて雄端子との接触部分を形成している。
【００３９】
下方の押圧接触部分１４１は、上方の押圧接触部分１４２の頂部１４２ｂの下方で上辺が雄端子１４０との長手方向に延びる広範な接触面１４１ａを形成する台形縦断面形状を有しかつ雄端子受容部１１２の外壁１１２ｂと一体に形成されており、挿入された雄端子１４０の付け根部分と長手方向に延びる広範な接触面１４１ａにおいて直接接触している。
【００４０】
発熱によるヒューズ溶断部１１７の溶断により、一対の雌端子部材１２０が分離されるや否や、下方の押圧接触部分１４１の雄端子１４０に対する弾性力が若干開放されると同時に上方の押圧接触部分１４２は雄端子１４０の上方部分に対して弾性反発力を発生し、下方の押圧接触部分１４１の上角部１４１ｂを支点として接触部分全体を隔壁１３４の傾斜面１３４ａに向けて雄端子受容部１１２全体を押接するように空所１４６を形成している鋭角三角形の頂角全体にわたって枢動する。その結果、互いに受容部下端を近接する方向に枢動し、上方の溶断部分は互いに外側に向かって離間する方向に回動される。
【００４１】
これにより溶断された溶断部ａ−ｂ間の間隔は広がり、これらの溶断端部が振動等を受けた際、左右の雄端子受容部１１２は上方の各押圧接触部分１４２の弾性力で絶縁隔壁１３４の傾斜面１３４ａに押接され、溶断端部ａ、ｂが再接触して二次短絡を生じると言った危険性を一層確実に回避される。
【００４２】
下方の押圧接触部分１４１の雄端子１４０はその付け根に近い部分で広範な弾性接触面積が得られるので導電性が良好となり、接触不良による発熱等の事故が避けられる。また、このような良好な接触保持性と相まって、上方の押圧接触部分が山形縦断面形状であるので雄端子表面に対する作用力点を一点に集中化する事となり、該部分のしなやかな反発弾性が得られ、過剰な反発力により生じる２次振動による再接触が防止される。
【００４３】
また、雄端子受容部１１２の絶縁隔壁１３４に押接可能な内壁１１２ａは、１枚の可溶導体金属板を折り返して成形された２重板で構成され、上方の押圧接触部分１４２はその内側板１４２ａを長手方向に沿って打抜いた細長折曲片により形成されている。その自由端である上端部１４４は、外側板１４３ａに穿設された切欠き部１４７を貫通して絶縁隔壁の傾斜面１３４ａと摺動可能に弾性接触している。
【００４４】
さらに、この内側板１４２ａと折り返されて面接触する外側板１４３ａは、長手方向に沿って打抜かれた細長い折曲片から成る弾性支持片１４３を有し、かつ押圧接触部分１４２と実質的に平行に延びかつ頂部１４２ｂに整合する頂部１４３ｂを有しており、その自由端１４３ｃは同じく絶縁隔壁の傾斜面１３４ａと弾性接触している。従って、この弾性支持片１４３はヒューズ溶断以前において絶縁隔壁１３４に対する両方の雄端子受容部１１２の離間距離を等間隔に確保していると同時に、下方の押圧接触部分１４１と共働して、上方の押圧接触部分１４２の枢動に対抗する弾性偏倚力を傾斜面１３４ａに対して発揮するが、上方の押圧接触部分の弾性反発力に打ち勝つ程の大きさではなく、ヒューズ溶断時に各ヒュージブルリンク１１６が反跳して溶断箇所が二次短絡しないような緩衝機能をもたせている。
【００４５】
このような構成により、かかるヒュージブルリンク１１１は、製造に際して打ち抜き工程を１回で済ませることが可能となり、製造工程の合理化が計られ、同時に、比較的高価な使用材料の節約もはかられる。
【発明の効果】
本発明の第１および第２の構成によるヒューズの二次短絡防止機構は叙上のごとき構成を備えているので、溶断部の溶断後、各雌端子部材の上方端の外側へ向かう回転により各保持片が離反方向に円滑に枢動されて該保持片相互の接触による二次短絡事故の発生を、ヒュージブルリンクを僅かな板金成形工程のみにより製造可能であり特に離反のための手段を別途設けることなく、かつ簡単な構造で確実に防止すると言った効果を生ずる。
【図面の簡単な説明】
【図１】本発明の第１の構成によるヒユーズの二次短絡防止機構の１つの実施の形態であって、ヒユーズの概要構成を示す斜視図である。
【図２】一方の雌端子部の雄端子受容部を拡大して示す部分断面図である。
【図３】図１の実施の形態においてハウジング内にヒユージブルリンクを組み込んだ状態を示す縦断面図である。
【図４】本発明の第２の構成によるヒューズ二次短絡防止機構の１つの実施の形態であって、ハウジング内にヒュージブルリンクを組み込んだ状態を示す縦断面図である。
【図５】図４の二次短絡防止機構の通常の使用状態における部分縦断面図である。
【図６】図４と同様の図であって、ヒュージブルリンクが溶断された状態で示されている。
【図７】図５と同様の部分拡大縦断面図であって、図６の雌端子部材がハウジング内で枢動した状態を示している。
【図８】従来のヒユージブルリンクを示す斜視図である。
【図９】ハウジング内に図８に示した従来のヒユージブルリンクを組み込んだ状態を示す概略縦断面図である。
【図１０】図８において溶断部が融解した状態を示す概略縦断面図である。
【符号の説明】
１０    ヒユーズ
１１    ヒユージブルリンク
１２    雌端子部
１４    保持片
２０    雌端子
３１    ハウジング
３４    絶縁隔壁
３４ａ  絶縁隔壁の下方端
３４ｂ  絶縁隔壁の上方端
４０    雄端子
４１    上方の隆起押圧接触部
４２    下方の隆起押圧接触部
１１１    ヒユージブルリンク
１１２    雄端子受容部
１１２ａ  内壁
１１４    保持片
１１７    ヒューズ溶断部
１２０    雌端子部材
１３１    ハウジング
１３４    絶縁隔壁
１３４ａ  傾斜面
１４０    雄端子
１４１    上方の押圧接触部
１４１ａ  接触面
１４１ｂ  上角部
１４２    下方の押圧接触部
１４２ａ  内側板
１４２ｂ  頂部
１４３ａ  外側板
１４３ｂ  頂部
１４４    上方の押圧接触部の上端部
１４５    上方の押圧接触部の下端部
１４７    切欠き部
Ｖ      中心軸平面
【図１】
0003565386.tif 000002
【図２】
0003565386.tif 000003
【図３】
0003565386.tif 000004
【図４】
0003565386.tif 000005
【図５】
0003565386.tif 000006
【図６】
0003565386.tif 000007
【図７】
0003565386.tif 000008
【図８】
0003565386.tif 000009
【図９】
0003565386.tif 000010
【図１０】
0003565386.tif 000011